(57)【要約】【課題】ディスプレイの表示画面の向きを選択可能とし、店舗側の要望に柔軟性の高く対応すること。【解決手段】切替検出部２４により第１と第２のディスプレイ１１、１２の各表示画面１１ａ、１２ａの切り替えが検出されると、これら第１と第２のディスプレイ１１、１２の各表示画面１１ａ、１２ａの各表示サイズに応じて当該第１と第２のディスプレイ１１、１２に表示する各画像データの各解像度を調整する。【選択図】図３
2011054108.tif 000002
【特許請求の範囲】
【請求項１】
互いに表示サイズの異なる第１と第２のディスプレイを備え、これら第１と第２のディスプレイの各表示向きをそれぞれオペレータ側と客側とに一体的に切り替え可能な商品販売データ処理装置において、
前記第１と前記第２のディスプレイの前記各表示の向きの切り替えを検出する切替検出部と、
前記切替検出部により前記各表示の向きの切り替えが検出されると、前記第１と前記第２のディスプレイの各表示サイズに応じて前記第１と前記第２のディスプレイに表示する前記各画像データの各解像度を調整する画像調整部と、
を具備することを特徴とする商品販売データ処理装置。
【請求項２】
前記画像調整部は、前記第１又は前記第２のディスプレイのうち前記表示サイズの大きな前記ディスプレイから前記表示サイズの小さな前記ディスプレイに切り替ると、前記表示サイズの大きい前記ディスプレイに表示していた前記画像データの前記解像度を、前記表示サイズの小さな前記ディスプレイの前記解像度に変換して当該前記表示サイズの小さな前記ディスプレイに表示することを特徴とする請求項１記載の商品販売データ処理装置。
【請求項３】
前記画像調整部は、前記第１又は前記第２のディスプレイのうち前記表示サイズの小さな前記ディスプレイから前記表示サイズの大きな前記ディスプレイに切り替ると、前記表示サイズの小さな前記ディスプレイに表示していた前記画像データの前記解像度を、前記表示サイズの大きな前記ディスプレイの前記解像度に変換して当該表示サイズの大きな前記ディスプレイに表示することを特徴とする請求項１記載の商品販売データ処理装置。
【請求項４】
前記画像調整部は、前記表示サイズの小さな前記ディスプレイに表示していた前記画像データの前記解像度を高くし、当該画像データに対して各種データの追加を行うことを特徴とする請求項３記載の商品販売データ処理装置。
【請求項５】
予め前記第１と前記第２のディスプレイの前記各表示の向きの切り替えの時期を設定する切替時期設定部と、
前記切替時期設定部に設定された前記切り替えの時期になると、前記第１と前記第２のディスプレイの前記各表示の向きを切り替える切替駆動機構と、
を備え、
前記切替検出部は、前記切替機構により前記第１と前記第２のディスプレイの前記各表示の向きが切り替ったことを検出し、
前記画像調整部は、前記切替検出部により前記各表示の向きの切り替えが検出されると、前記第１と前記第２のディスプレイの各表示サイズに応じて前記第１と前記第２のディスプレイに表示する前記各画像データの各解像度を調整する、
ことを特徴とする請求項１記載の商品販売データ処理装置。
【請求項６】
第１と第２のディスプレイの各表示の向きが切り替えられたか否かを検出し、
前記第１と前記第２のディスプレイの前記各表示の向きの切り替えを検出すると、前記第１と前記第２のディスプレイの各表示サイズに応じて前記第１と前記第２のディスプレイに表示する前記各画像データの各解像度を調整する、
ことを特徴とする商品販売データ表示プログラム。
【発明の詳細な説明】
【技術分野】
【０００１】
本発明は、互いに表示サイズの異なる２つのディスプレイを備えた対面型の商品販売データ処理装置及び商品販売データ表示プログラムに関する。
【背景技術】
【０００２】
現在、市場には、商品の登録精算処理を行う販売データ処理装置として、互いに表示サイズの異なる２つのディスプレイを備えた対面型ＰＯＳ端末が使用されている。この対面型ＰＯＳ端末は、例えば、表示サイズの大きいディスプレイをキャッシャ用とし、表示サイズの小さなディスプレイをお客様用としたり、又は、表示サイズの大きいディスプレイをお客様用とし、表示サイズの小さなディスプレイをキャッシャ用としている。対面型ＰＯＳ端末の技術としては、例えば特許文献１がある。
【発明の概要】
【発明が解決しようとする課題】
【０００３】
そのため、対面型ＰＯＳ端末を設置するスーパマーケットやコンビニエンスストア等の店舗側では、各ディスプレイの表示画面の向きを選択する余地がない。  
例えば、表示サイズの小さなディスプレイをお客様用とし、表示サイズの大きいディスプレイをキャッシャ用とすると、お客様用のディスプレイに商品の登録情報の表示に加えて商品のコマーシャルメッセージ等を表示した場合、商品のコマーシャルメッセージ等が小さく表示されてしまい、お客様へのアピール性が少ない恐れがある。
【０００４】
例えば、表示サイズの大きいディスプレイをお客様用とし、表示サイズの小さなディスプレイをキャッシャ用とすると、キャッシャは、表示サイズの小さなディスプレイを見ながら商品の登録等の作業を行うことになり、キャッシャの視力が低いと、キャッシャの作業効率が低下する恐れがある。
【０００５】
本発明の目的は、店舗側の要望又はキャッシャの作業効率の向上等の状況に応じてディスプレイの表示画面の配置向きを選択可能にできる商品販売データ処理装置及び商品販売データ表示プログラムを提供することにある。
【課題を解決するための手段】
【０００６】
本発明の主要な局面に係る商品販売データ処理装置は、互いに表示サイズの異なる第１と第２のディスプレイを備え、これら第１と第２のディスプレイの各表示向きをそれぞれオペレータ側と客側とに一体的に切り替え可能な商品販売データ処理装置において、第１と第２のディスプレイの各表示の向きの切り替えを検出する切替検出部と、切替検出部により各表示の向きの切り替えが検出されると、第１と第２のディスプレイの各表示サイズに応じて第１と第２のディスプレイに表示する各画像データの各解像度を調整する調整部とを具備する。
【０００７】
本発明の主要な局面に係る商品販売データ表示プログラムは、第１と第２のディスプレイの各表示の向きが切り替えられたか否かを検出し、第１と第２のディスプレイの各表示の向きの切り替えを検出すると、第１と第２のディスプレイの各表示サイズに応じて第１と第２のディスプレイに表示する各画像データの各解像度を調整する。
【発明の効果】
【０００８】
本発明によれば、店舗側の要望又はキャッシャの作業効率の向上等の状況に応じてディスプレイの表示画面の配置向きを選択可能にできる商品販売データ処理装置及び商品販売データ表示プログラムを提供できる。
【図面の簡単な説明】
【０００９】
【図１】本発明に係る商品販売データ処理装置の一実施の形態を示す外観図。
【図２】同装置における第１と第２のディスプレイの各表示画面の向きの切り替えを示す外観図。
【図３】同装置における制御系を示すブロック図。
【図４】同装置において第１から第２のディスプレイにレイアウトが切り替ったときの画像データの解像度の変換を示す図。
【図５】同装置において第２から第１のディスプレイにレイアウトが切り替ったときの画像データの解像度の変換を示す図。
【図６】同装置において第２から第１のディスプレイにレイアウトが切り替ったときの画像データの編集処理を示す図。
【図７】同装置における画像データの流れを示す図。
【図８】同装置における第１と第２のディスプレイの切り替えを自動的に行う制御系を示すブロック図。
【発明を実施するための形態】
【００１０】
以下、本発明の一実施の形態について図面を参照して説明する。  
図１は商品販売データ処理装置としての対面型のＰＯＳ端末の外観図を示す。このＰＯＳ端末１は、例えばコンビニエンスストア等の店舗に設置される。このＰＯＳ端末１は、ドロワ２上に載置されている。このＰＯＳ端末１には、ハウジング３上に、キーボード４と、カード読取溝５と、レシートプリンタ６とが設けられている。又、ＰＯＳ端末１には、バーコードリーダ７が接続されている。なお、ＰＯＳ端末１のハウジング３は、キーボード４を設けた側をオペレータに配置する。又、ＰＯＳ端末１のハウジング３上には、このハウジング３上で矢印Ａ方向に回転可能に台座８が設けられている。この台座８は、例えばオペレータのマニュアル操作によって回転する。
【００１１】
この台座８上には、各アーム９、１０を介してそれぞれ第１のディスプレイ１１と第２のディスプレイ１２とが設けられている。これら第１と第２のディスプレイ１１、１２の各表示サイズは、互いに異なり、例えば第１のディスプレイ１１の表示サイズが第２のディスプレイ１２の表示サイズよりも大きく形成されている。これら第１と第２のディスプレイ１１、１２は、互いに背面を向けて設けられている。従って、第１と第２のディスプレイ１１、１２とは、台座８の矢印Ａ方向への回転によって各表示画面１１ａ、１２ａの向きをそれぞれオペレータ側と客側とに一体的に切り替え可能、すなわちレイアウトを切れ替え可能としている。
【００１２】
図２は第１のディスプレイ１１を客側に向け、第２のディスプレイ１２をオペレータ側に向けたレイアウトの外観図を示す。なお、通常のレイアウトは、図１に示すように第１のディスプレイ１１をオペレータ側に向け、第２のディスプレイ１２を客側に向けて配置するものとする。
【００１３】
図３は本装置の制御系のブロック図を示す。この制御系２０は、ＣＰＵ等から成る主制御部２１を有する。この主制御部２１には、キーボード４と、カード読取溝５と、バーコードリーダ７と、第１のディスブレイ１１と、第２のディスブレイ１２と、プログラムメモリ２２と、データメモリ２３と、切替検出部２４とが接続されている。  
プログラムメモリ２２には、商品販売データ表示プログラムが記憶されている。この商品販売データ表示プログラムは、第１と第２のディスプレイ１１、１２の各表示画面１１ａ、１２ａの向きが切り替えられたか否かを検出し、これら第１と第２のディスプレイ１１、１２の各表示画面１１ａ、１２ａの向きの切り替えを検出すると、これら第１と第２のディスプレイ１１、１２の各表示サイズに応じて当該第１と第２のディスプレイ１１、１２に表示する各画像データの各解像度を調整する。
【００１４】
データメモリ２３には、各種データとして例えば特定期間のみお客に提供するための大量の情報、例えば商品のコマーシャルメッセージ、又は季節限定等の特定期間のみ販売する商品のコマーシャルメッセージ、商品のセールのメッセージなどが記憶されている。
【００１５】
切替検出部２４は、第１と第２のディスプレイ１１、１２の各表示画面１１ａ、１２ａの向きの切り替え、すなわち第１のディスプレイ１１がオペレータ側に向きかつ第２のディスプレイ１１、１２が客側に向いている通常のレイアウト状態から第１のディスプレイ１１が客側に向きかつ第２のディスプレイ１２がオペレータ側に向いているレイアウト状態に切り替える、又は、反対に、第１のディスプレイ１１が客側に向きかつ第２のディスプレイ１２がオペレータ側に向いているレイアウト状態から第１のディスプレイ１１がオペレータ側に向きかつ第２のディスプレイ１２が客側に向いている通常のレイアウト状態に戻る切り替わりを検出する。
【００１６】
具体的に、切替検出部２４は、図１に示すように通常のレイアウトの状態において、例えば台座８における第１のディスプレイ１１に対応する部分に係止部を設けると共に、ハウジング３における第１のディスプレイ１１に対応する部分に第１のスイッチを設け、かつ第２のディスプレイ１２に対応する部分に第２のスイッチを設け、台座８の回転によって係止部が第１のスイッチに係止すると、この第１のスイッチがオンとなることにより第１のディスプレイ１１がオペレータ側にレイアウトが切り替わったことを示す第１の切替信号を出力し、又、係止部が第２のスイッチに係止すると、この第２のスイッチがオンとなることにより第２のディスプレイ１２がオペレータ側にレイアウトが切り替わったことを示す第２の切替信号を出力するようにする。
【００１７】
又、切替検出部２４は、上記図１に示すように通常のレイアウトの状態において、例えば台座８における第１のディスプレイ１１に対応する部分に発光素子を設けると共に、ハウジング３における第１のディスプレイ１１に対応する部分に第１の受光素子を設け、かつ第２のディスプレイ１２に対応する部分に第２の受光素子を設け、台座８の回転によって発光素子が第１の受光素子に対峙すると、この第１の受光素子から第１のディスプレイ１１がオペレータ側にレイアウトが切り替わったことを示す第１の切替信号を出力し、又、発光素子が第２の受光素子に対峙すると、この第２の受光素子から第２のディスプレイ１２がオペレータ側にレイアウトが切り替わったことを示す第２の切替信号を出力するようにしてもよい。
【００１８】
主制御部２１は、プログラムメモリ２２に記憶されている商品販売データ表示プログラムを実行することにより画像調整部２５の機能を有する。この画像調整部２５は、切替検出部２４により第１と第２のディスプレイ１１、１２の各表示画面１１ａ、１２ａの切り替えが検出されると、これら第１と第２のディスプレイ１１、１２にそれぞれ表示されていた各画像データの各解像度を、それぞれ各切り替え先の第２と第１のディスプレイ１１、１２の各表示画面１１ａ、１２ａの各表示サイズに応じた各解像度に調整する。
【００１９】
具体的に、画像調整部２５は、オペレータ側において、図２に示すように第１のディスプレイ１１から第２のディスプレイ１２にレイアウトが切り替ると、図４に示すように第１のディスプレイ１１に表示していた第１の画像データＤ１ａの解像度Ａを第２のディスプレイ１２の表示画面１２ａの表示サイズに対応した解像度Ｂ、すなわち解像度Ａよりも低い解像度Ｂの第１の画像データＤ１ｂに変換して第２のディスプレイ１２に表示する。画像データの解像度は、第１、第２のディスプレイ１１、１２の各画素数によって決定される。画像調整部２５は、第１の画像データＤ１ａの解像度を低く調整する手法として例えば画像データの圧縮、伸縮、間引き等の処理を行う。  
なお、画像調整部２５は、オペレータ側において、図１に示すように第２のディスプレイ１２から第１のディスプレイ１１に戻ると、戻る前の第２のディスプレイ１２に表示していた第１の画像データＤ１ｂの解像度Ｂを第１のディスプレイ１１の表示サイズに対応する元の解像度Ａの第１の画像データＤ１ａに戻して第１のディスプレイ１１に表示する。
【００２０】
これと共に、画像調整部２５は、客側において、図２に示すように第２のディスプレイ１２から第１のディスプレイ１１にレイアウトが切り替ると、図５に示すように第２のディスプレイ１２に表示していた第２の画像データＤ２ｂの解像度Ｂを第１のディスプレイ１１の表示画面１１ａの表示サイズに対応した解像度Ａ、すなわち解像度Ｂよりも高い解像度Ａの第１の画像データＤ２ａに変換して第１のディスプレイ１１に表示する。この画像調整部２５は、第２の画像データＤ２ｂの解像度を高く調整する手法として例えば各種画像データの追加の処理を含む。この追加する各種画像データは、予め上記データメモリ２３に記憶され、例えば特定期間のみお客に提供するための大量の情報、例えば商品のコマーシャルメッセージ、又は季節限定等の特定期間のみ販売する商品のコマーシャルメッセージ、商品のセールのメッセージなどを含む。
【００２１】
すなわち、画像調整部２５は、各種画像データを追加処理する画像編集部２５ａとしての機能を有する。この画像編集部２５ａは、客側において、上記図２に示すように第２のディスプレイ１２から第１のディスプレイ１１にレイアウトが切り替ると、図６に示すように第２のディスプレイ１２に表示していた第２の画像データＤ２ｂの解像度Ｂを高くした例えば解像度Ａａの第１の画像データＤ２ａ、例えば第１のディスプレイ１１の表示サイズに対応する画像エリアＥ内に入る解像度Ａａの第１の画像データＤ２ａに変換する。
【００２２】
これと共に、画像編集部２５ａは、画像エリアＥ内に解像度Ａの各種画像データＲを新たに追加する。このように画像エリアＥ内に第１の画像データＤ２ａと各種画像データＲとを配置すると、当該画像エリアＥ内に余白エリアが生じることがある。画像編集部２５ａは、当該余白エリアに背景画像データＧをはめ込んで解像度Ａの画像データＤ１ｈを作成し、この画像データＤ１ｈを第１のディスプレイ１１に表示する。なお、画像データＤ１ｈを作成するとき、第２の画像データＤ１ｂと各種画像データＲとの各配置位置は、それぞれ予め設定してもよいし、画像データＤ１ｈを作成する度に変更設定してもよい。
【００２３】
一方、客側において、第１のディスプレイ１１から第２のディスプレイ１２にレイアウトが戻ると、画像編集部２５ａは、第１のディスプレイ１１に表示していた新たに追加した各種画像データＲを有する画像データＤ１ｈに対して例えば圧縮、伸縮、間引き等の処理を行って当該画像データＤ１ｈの解像度Ａを第２のディスプレイ１２の表示画面１２ａの表示サイズに対応した解像度Ｂの第１の画像データに変換して第２のディスプレイ１２に表示する。
【００２４】
なお、画像編集部２５ａは、客側において、第１のディスプレイ１１から第２のディスプレイ１２にレイアウトが戻った場合、第１のディスプレイ１１に表示していた新たに追加した各種画像データＥを有する画像データＤ１ｈから任意のエリアの画像データを削除して第２のディスプレイ１２に表示してもよい。
【００２５】
次に、上記の如く構成された装置でディスプレイのレイアウト切り替え時の作用について図７に示す画像データの流れを示す図を参照して説明する。  
図１に示すように第１のディスプレイ１１は客側に向けられ、第２のディスプレイ１２はオペレータ側に向けた通常のレイアウト状態にあれば、切替検出部２４は、第１のディスプレイ１１が客側に切り替わり、かつ第２のディスプレイ１２がオペレータ側に切り替わったことを検出しない。  
この状態であれば、主制御部２１は、各ステップＳ１ａ、Ｓ１ｂにおいて、それぞれ第１及び第２ディスプレイ１１、１２が通常のレイアウト状態にあってレイアウト切り替えを行っていないと判断し、その旨を画像調整部２５に送る。
【００２６】
この画像調整部２５は、第１のディスプレイ１１の表示サイズに対応する解像度を有する第１の画像データを第１のディスプレイ１１に送り、当該第１の画像データを第１のディスプレイ１１に表示する。これと共に、画像調整部２５は、第２のディスプレイ１１の表示サイズに対応する解像度を有する第２の画像データを第２のディスプレイ１２に送り、当該第２の画像データを第２のディスプレイ１２に表示する。
【００２７】
一方、台座８が例えばオペレータのマニュアル操作によって回転し、図２に示すように第１のディスプレイ１１が客側に向き、かつ第２のディスプレイ１２がオペレータ側に向くレイアウト状態に切り替わると、切替検出部２４は、第１と第２のディスプレイ１１、１２の各表示画面１１ａ、１２ａの向きのレイアウト切り替えを検出する。
【００２８】
レイアウト切り替えが検出されると、主制御部２１は、各ステップＳ１ａ、Ｓ１ｂにおいて、それぞれ第１及び第２ディスプレイ１１、１２のレイアウトが切り替わったことを判断し、その旨を画像調整部２５に送る。  
第１と第２のディスプレイ１１、１２のレイアウトが切り替わると、画像調整部２５は、ステップＳ２ａにおいて、図４に示すように第１のディスプレイ１１に表示していた第１の画像データＤ１ａの解像度Ａを第２のディスプレイ１２の表示画面１２ａの表示サイズに対応した解像度Ｂの第１の画像データＤ１ｂに変換して第２のディスプレイ１２に表示する。例えば、第１のディスプレイ１１の画素数が１６００×１２００画素で、第２のディスプレイ１２の画素数が６４０×４８０画素であれば、画像調整部２５は、第１のディスプレイ１１に表示していた１６００×１２００画素の第１の画像データＤ１ａを６４０×４８０画素の第１の画像データＤ１ｂに変換して第２のディスプレイ１２に表示する。
【００２９】
これと共に、画像調整部２５は、ステップＳ２ｂにおいて、図５に示すように第２のディスプレイ１２に表示していた第２の画像データＤ２ｂの解像度Ｂを第１のディスプレイ１１の表示画面１１ａの表示サイズに対応した解像度Ａの第１の画像データＤ２ａに変換して第１のディスプレイ１１に表示する。例えば、画像調整部２５は、第２のディスプレイ１２に表示していた６４０×４８０画素の第２の画像データＤ２ｂを１６００×１２００画素の第１の画像データＤ２ａに変換して第２のディスプレイ１２に表示する。
【００３０】
この場合、画像編集部２５ａは、ステップＳ２ｂにおいて、例えば、図６に示すように第２のディスプレイ１２に表示していた第２の画像データＤ２ｂの解像度Ｂを高くした例えば解像度Ａａの第１の画像データＤ２ａに変換すると共に、解像度Ａｂの各種画像データＲを新たに追加してもよい。この各種画像データＲは、例えば特定期間のみお客に提供するための大量の情報、例えば商品のコマーシャルメッセージ、又は季節限定等の特定期間のみ販売する商品のコマーシャルメッセージ、商品のセールのメッセージなどである。  
具体的に、画像編集部２５ａは、例えば６４０×４８０画素の解像度Ｂを有する第２の画像データＤ２ｂを例えば１０２４×７６８画素の解像度Ａａを有する第１の画像データＤ２ａに変倍すると共に、３２０×１６０画素を有する解像度Ａｂの各種画像データＲを新たに追加する。  
画像編集部２５ａは、第１のディスプレイ１１の画像エリアＥ内に第１の画像データＤ２ａと各種画像データＲとを配置したとき画像エリアＥ内に余白エリアが生じることがある。この場合、１０２４×７６８画素の第１の画像データＤ２ａと３２０×１６０画素の各種画像データＲとを合わせると、１３４４×９２８画素であるので、１６００×１２００画素との差は、２５６×２７２画素であり、これが余白エリアとなる。  
画像編集部２５ａは、当該余白エリアに背景画像データＧをはめ込んで解像度Ａ（１６００×１２００画素）の画像データＤ１ｈを作成し、この画像データＤ１ｈを第１のディスプレイ１１に表示する。
【００３１】
台座８が例えばオペレータのマニュアル操作によって回転し、図１に示すように通常のレイアウト状態に戻る切り替わりを検出すると、主制御部２１は、各ステップＳ１ａ、Ｓ１ｂにおいて、それぞれ第１及び第２ディスプレイ１１、１２が通常のレイアウトに戻ったことを判断し、その旨を画像調整部２５に送る。  
通常のレイアウトに戻ると、画像調整部２５は、図４に示すように戻る前の第２のディスプレイ１２に表示していた第１の画像データＤ１ｂの解像度Ｂを第１のディスプレイ１１の表示サイズに対応する元の解像度Ａの第１の画像データＤ１ａに戻して第１のディスプレイ１１に表示する。これと共に、画像調整部２５は、図５に示すように戻る前の第１のディスプレイ１１に表示していた第２の画像データＤ２ａの解像度Ａを第２のディスプレイ１２の表示サイズに対応した元の解像度Ｂの第２の画像データＤ２ｂに戻して第２のディスプレイ１２に表示する。
【００３２】
又、図６に示すように新たに追加した各種画像データＲを有する画像データＤ１ｈを第１のディスプレイ１１に表示していた場合に、客側において、第１のディスプレイ１１から第２のディスプレイ１２にレイアウトが戻ると、画像編集部２５ａは、例えば、画像データＤ１ｈの解像度Ａを第２のディスプレイ１２の表示画面１２ａの表示サイズに対応した解像度Ｂの第１の画像データに変換して第２のディスプレイ１２に表示する。
【００３３】
このように上記一実施の形態によれば、切替検出部２４により第１と第２のディスプレイ１１、１２の各表示画面１１ａ、１２ａの切り替えが検出されると、これら第１と第２のディスプレイ１１、１２の各表示画面１１ａ、１２ａの各表示サイズに応じて当該第１と第２のディスプレイ１１、１２に表示する各画像データの各解像度を調整するので、
店舗側の要望又はキャッシャの作業効率の向上等の状況に応じて第１と第２のディスプレイ１１、１２の各表示画面１１ａ、１２ａの配置の向きを選択できる。
【００３４】
例えば、表示サイズの大きい第１のディスプレイ１１をオペレータ用としていた対面型ＰＯＳ端末１であっても、当該対面型ＰＯＳ端末１を設置するスーパマーケットやコンビニエンスストア等の店舗側の要望に応じて特定期間等において第１と第２のディスプレイ１１、１２のレイアウトを選択することができ、店舗側の要望に柔軟性高く対応できる。又、お客様側に大きな表示サイズの第１のディスプレイ１１を向けたいというお客様を重視する店舗にも柔軟性高く対応できる。
【００３５】
客側に表示サイズの大きい第１のディスプレイ１１を向けることができるので、この第１のディスプレイ１１に、例えば商品の登録情報の表示に加えて、例えば特定期間のみお客様に提供するための大量の情報、例えば商品のコマーシャルメッセージ、又は季節限定等の特定期間のみ販売する商品のコマーシャルメッセージ、商品のセールのメッセージなどを含む各種データを第２の画像データに追加して第１のディスプレイ１１に表示することができる。お客様用のディスプレイに商品の登録情報の表示に加えて商品のコマーシャルメッセージ等を第１のディスプレイ１１に表示すれば、お客様に対する商品のコマーシャルメッセージ等のアピール性を大きくできる。
【００３６】
又、表示サイズの大きい第１のディスプレイ１１をオペレータ側に配置し、表示サイズの小さな第２のディスプレイ１２をお客様側に配置できるので、例えば、キャッシャの視力が低く作業に支障を来たすおそれがあり、かつお客様側へ提供する情報の優先性が低いような状況であれば、かかる状況に応じてキャッシャに対して表示サイズの大きい第１のディスプレイ１１を向けることにより、オペレータの商品登録等の作業効率の向上を図ることができる。
【００３７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００３８】
例えば、第１と第２のディスプレイ１１、１２は、特定の時期になると自動的にレイアウトを切り替えるようにしてもよい。図５は自動的に第１と第２のディスプレイ１１、１２のレイアウトを切り替えることを可能とする対面型ＰＯＳ端末１の制御系のブロック図を示す。なお、対面型ＰＯＳ端末１の外観は、図１と同一とする。
【００３９】
主制御部２１には、切替時期設定部３０と、切替駆動機構３１とが接続されている。  
切替時期設定部３０は、予め第１と第２のディスプレイ１１、１２の各表示画面の向きの切り替えの時期すなわちレイアウト切り替えの時期を設定する。この切替時期設定部３０は、例えばオペレータのマニュアル操作を受けて切り替えの時期を設定する。
【００４０】
切替駆動機構３１は、切替時期設定部３０に設定されたレイアウト切り替えの時期になると、主制御部２１からのレイアウト切り替えの指令を受けて、第１と第２のディスプレイ１１、１２のレイアウトを自動的に切り替えるもので、例えばモータと、このモータの駆動により台座８を矢印Ａ方向に例えば半周回転させる。
【００４１】
このような構成であれば、主制御部２１は、切替時期設定部３０に設定されたレイアウト切り替えの時期であるか否かを判断し、例えば図１に示す通常のレイアウトから図２に示す第１のディスプレイ１１を客側に向け、第２のディスプレイ１２をオペレータ側に向けるレイアウト状態に切り替わる時期になると、当該レイアウト切り替えの指令を切替駆動機構３１に送る。  
この切替駆動機構３１は、主制御部２１からのレイアウト切り替えの指令を受けてモータを駆動して台座８を矢印Ａ方向に回転し、第１と第２のディスプレイ１１、１２のレイアウトを自動的に切り替える。このとき、切替検出部２４は、第１と第２のディスプレイ１１、１２のレイアウト切り替えを検出する。
【００４２】
画像調整部２５は、上記同様に、ステップＳ２ａにおいて、上記図４に示すように第１のディスプレイ１１に表示していた第１の画像データＤ１ａの解像度Ａを第２のディスプレイ１２の表示画面１２ａの表示サイズに対応した解像度Ｂの第１の画像データＤ１ｂに変換して第２のディスプレイ１２に表示する。これと共に、画像調整部２５は、ステップＳ２ｂにおいて、上記図５に示すように第２のディスプレイ１２に表示していた第２の画像データＤ２ｂの解像度Ｂを第１のディスプレイ１１の表示画面１１ａの表示サイズに対応した解像度Ａの第１の画像データＤ２ａに変換して第１のディスプレイ１１に表示する。
【００４３】
この場合、画像編集部２５ａは、ステップＳ２ｂにおいて、例えば、図６に示すように第１のディスプレイ１１の表示サイズに対応した画像データの画像エリアＥ内に解像度Ｂの第２の画像データＤ２ｂと解像度Ｂの各種画像データＥ２、例えば特定期間のみお客に提供するための大量の情報、例えば商品のコマーシャルメッセージ、又は季節限定等の特定期間のみ販売する商品のコマーシャルメッセージ、商品のセールのメッセージなどを含む各種画像データＥ２とを配置し、かつ余白エリアに背景画像データＧ２をはめ込んで解像度Ｂの画像データＤ２ｈを作成し、この画像データＤ２ｈを第１のディスプレイ１１の表示画面１１ａの表示サイズに対応した解像度Ａの第１の画像データＤ１ｈに変換して第１のディスプレイ１１に表示する。
【００４４】
このように第１と第２のディスプレイ１１、１２のレイアウト切り替えの時期を設定し、このレイアウト切り替えの時期になると、自動的に第１と第２のディスプレイ１１、１２のレイアウトを切り替えることができ、かつ上記一実施の形態と同様の効果を奏することができる。
【符号の説明】
【００４５】
１：ＰＯＳ端末、２：ドロワ、３：ハウジング、４：キーボード、５：カード読取溝、６：レシートプリンタ、７：バーコードリーダ、８：台座、９．１０：アーム、１１：第１のディスプレイ、１２：第２のディスプレイ、１１ａ：第１のディスプレイの表示画面、１２ａ：第２のディスプレイの表示画面、２０：制御系、２１：主制御部、２２：プログラムメモリ、２３：データメモリ、２４：切替検出部、２５：画像調整部、２５ａ：画像編集部、３０：切替時期設定部、３１：切替駆動機構。
【先行技術文献】
【特許文献】
【００４６】
【特許文献１】特開２００９−１２３０２７公報
【図１】
2011054108.tif 000003
【図２】
2011054108.tif 000004
【図３】
2011054108.tif 000005
【図４】
2011054108.tif 000006
【図５】
2011054108.tif 000007
【図６】
2011054108.tif 000008
【図７】
2011054108.tif 000009
【図８】
2011054108.tif 000010